(57)【特許請求の範囲】
【請求項１】
棟側所定位置かつ横方向所定位置にマークが形成された本体瓦を、その横方向の両側端部を防水連結部材に重ねて屋根野地板上に葺き並べ、本体瓦のマークに合わせて本体瓦の棟側端縁部に位置する葺き重ね部に上段の防水連結部材を取り付け、上段の本体瓦を上段の防水連結部材に重ねて葺き並べる作業を繰り返して本体瓦を屋根の軒先から棟に向かって順次施工する瓦の葺き構造において、
本体瓦の葺き重ね部を、前記マークを含むように縦方向所定位置で切断して形成した棟側断片をスタータ瓦とし、屋根野地板の軒先端部に軒先水切板を設置し、その軒先水切板上にスタータ瓦を葺き並べ、防水連結部材をスタータ瓦に形成されたマークに合わせて固定し、本体瓦を順次施工することを特徴とする瓦の葺き構造。
【請求項２】
スタータ瓦と防水連結部材とを固定具により同時に屋根野地板に固定することを特徴とする請求項１記載の瓦の葺き構造。
【請求項３】
本体瓦およびスタータ瓦に形成されたマークが凹部であることを特徴とする請求項１または２記載の瓦の葺き構造。
【請求項４】
軒先水切板とスタータ瓦との間または軒先水切板と屋根野地板との間に位置するように、パッキン材を配置させたことを特徴とする請求項１ないし３いずれかに記載の瓦の葺き構造。
【発明の詳細な説明】
【０００１】
【発明の属する技術分野】
この出願の発明は、瓦の葺き構造に関するものである。さらに詳しくは、この出願の発明は、施工性、防水性および意匠性を向上させることができ、さらに生産性が高くコストを低く抑えることのできる瓦の葺き構造に関するものである。
【０００２】
【従来の技術】
従来より、住宅等の建物の屋根に軽量でかつ表面に深みのある模様を有する軽量厚物瓦や平板瓦などの瓦を取り付ける際には、たとえば図３に示すように、隣接する本体瓦（１）の連結部より屋根内側への雨水の浸入への対策として、横方向に隣接する本体瓦（１）同士の間であってそれら本体瓦（１）の裏面に、本体瓦（１）の連結部から屋根の内側に浸入しようとする水を屋根の軒側に向かうように下段の本体瓦（１）の表面に流して排水することができる、一般に“水切りジョイナー”と呼ばれる、水切り機能を有する防水連結部材（２）を設置している。
【０００３】
なおこの本体瓦（１）の棟側所定位置かつ横方向所定位置には防水連結部材（２）を取り付ける際に位置合わせを行うためのマーク（３）が形成されており、本体瓦（１）を、その横方向の両側端部（４）を防水連結部材（２）に重ねて屋根野地板上に葺き並べ、本体瓦（１）のマーク（３）に合わせて上段の防水連結部材（２）を取り付け、上段の本体瓦（１）を下段の本体瓦と同様に上段の防水連結部材（２）に重ねて葺き並べていくことで本体瓦（１）を屋根の軒先から棟に向かって順次施工している。
【０００４】
しかしながら、防水連結部材（２）とともに屋根野地板に本体瓦（１）を設置する際の施工過程において、その本体瓦（１）の葺き作業の作業性および瓦の葺き構造の防水性を向上させるには、屋根野地板の軒先端部（５）にどのように防水連結部材（２）と本体瓦（１）を配置して取り付けるかが問題となっている。
【０００５】
それというのも、通常軒先端部（５）に配設されている板金加工された軒先水切板に対して金属製の防水連結部材（２）の配置位置を判別するのは、必ずしも容易ではなく、またこの位置決めが速やかにしかも適切に行われなければ、瓦葺きそのものが困難になるなど、施工に重大な支障が生じてしまうからであり、また軒先端部（５）に直接本体瓦（１）を配置した場合には、図４に示すように軒先から２段目以降の本体瓦（１）の前端部が１段目の本体瓦（１）の後端部に密着せずに跳ね上がってしまい外観上に不具合を生じてしまうという問題を有しているからである。
【０００６】
それらの問題を解決するため、これまでに１段目の本体瓦を載置する軒先専用のスタータ瓦を製造することも考えられたが、その場合にはそのスタータ瓦を製造するための専用の金型が必要となってしまい、また専用のスタータ瓦は本体瓦（１）と製品寸法なども異なることから製造ラインの改造が必要となり、生産性も低くコストが高くなるといった問題を有していた。
【０００７】
そこで、現在では、たとえば特開２００２−２４２３９２（特許文献１）に示されているように、その防水連結部材（２）を軒先端部（５）に取り付けるために図５および図６に示すように位置合わせ用のマーク（３０）が形成され、かつ立ち上がり部（３１）が形成された金属製の軒先水切板（軒先用板金）（３２）が用いられており、けがかれている防水連結部材（２）と軒先水切板（３２）の両者のマーク位置が合わされることで屋根野地板（６）に取り付け固定されており、これにより、軒先端部（５）において屋根野地板（６）の横方向所定位置に防水連結部材（２）を正確に取り付けることが可能となり、また２段目以降の本体瓦（１）の前端部の跳ね上がりも防ぐことが可能となった。
【０００８】
【特許文献１】
特開２００２−２４２３９２
【０００９】
【発明が解決しようとする課題】
しかしながら、この軒先水切板（３２）としては位置合わせ用のマーク（３０）および立ち上がり部（３１）を形成する必要があるため、通常の軒先水切板とは形状が異なる特殊なものを用いる必要があり、やはり生産性が悪く、瓦葺き施工のコストを高くしてしまう原因となっていた。また、軒先水切板（３２）は金属製であり本体瓦（１）とは異なった材質であるため、立ち上がり部（３１）などにおいて外観上本体瓦（１）との違和感を有してしまっていた。
【００１０】
そこで、この出願の発明は、以上のとおりの事情に鑑みてなされたものであり、従来技術の問題点を解消し、施工性、防水性および意匠性を向上させ、生産性が高くコストを低く抑えることのできる瓦の葺き構造を提供することを課題としている。
【００１１】
【課題を解決するための手段】
この出願の発明は、上記の課題を解決するものとして、まず第１には、棟側所定位置かつ横方向所定位置にマークが形成された本体瓦を、その横方向の両側端部を防水連結部材に重ねて屋根野地板上に葺き並べ、本体瓦のマークに合わせて本体瓦の棟側端縁部に位置する葺き重ね部に上段の防水連結部材を取り付け、上段の本体瓦を上段の防水連結部材に重ねて葺き並べる作業を繰り返して本体瓦を屋根の軒先から棟に向かって順次施工する瓦の葺き構造において、本体瓦の葺き重ね部を、前記マークを含むように縦方向所定位置で切断して形成した棟側断片をスタータ瓦とし、屋根野地板の軒先端部に軒先水切板を設置し、その軒先水切板上にスタータ瓦を葺き並べ、防水連結部材をスタータ瓦に形成されたマークに合わせて固定し、本体瓦を順次施工することを特徴とする瓦の葺き構造を提供する。
【００１２】
第２には、この出願の発明は、第１の発明において、スタータ瓦と防水連結部材とを固定具により同時に屋根野地板に固定することを特徴とする瓦の葺き構造を提供する。
【００１３】
さらに、第３には、第１または２の発明において、本体瓦およびスタータ瓦に形成されたマークが凹部であることを特徴とする瓦の葺き構造を提供する。
【００１４】
また、第４には、第１ないし３いずれかの発明において、軒先水切板とスタータ瓦との間または軒先水切板と屋根野地板との間に位置するように、パッキン材を配置させたことを特徴とする瓦の葺き構造を提供する。
【００１５】
【発明の実施の形態】
この出願の発明は上記のとおりの特徴をもつものであるが、以下にその実施の形態について説明する。
【００１６】
この出願の発明の瓦の葺き構造は、棟側所定位置かつ横方向所定位置にマークが形成された本体瓦を、その横方向の両側端部を防水連結部材に重ねて屋根野地板上に葺き並べ、本体瓦に形成したマークに合わせて本体瓦の棟側端縁部に位置する葺き重ね部に上段の防水連結部材を位置させ、さらに上段の本体瓦を同様に上段の防水連結部材に重ねて葺き並べていくことで本体瓦を屋根の軒先から棟に向かって順次施工する瓦の葺き構造であるが、たとえば図１および図２に示すように、本体瓦（１）の葺き重ね部をマーク（３）を含むように縦方向所定位置で切断して形成した棟側断片（７）をスタータ瓦（８）とし、屋根野地板（６）の軒先端部（５）に軒先水切板（９）を設置し、軒先水切板（９）上にスタータ瓦（８）を葺き並べ、防水連結部材（２）をスタータ瓦（８）に形成されたマーク（３）に合わせて固定し、本体瓦（１）を順次施工することを大きな特徴としている。
【００１７】
このようにすることによって、本体瓦（１）の一部分をスタータ瓦（８）として用いることができ、瓦施工の部材である本体瓦（１）とスタータ瓦（８）を、共通化可能な施工構造とすることで部品点数を削減できることから、生産性を向上させることが可能となる。また軒先水切板（９）についてもマークや立ち上がり部が形成されていない通常の軒先水切板を用いることができることから、専用のスタータ瓦および軒先水切板を製造する必要がなくなり、製造ラインの改造も不要となることから、不良品率が下がり生産コストも大幅に低減させることができるのである。
【００１８】
また、軒先水切板（９）の上にさらにスタータ瓦（８）を葺き並べていることから屋根の軒先部分における防水性も向上させることができ、さらに屋根野地板（６）の軒先端部（５）に本体瓦（１）と同じ材質であってマーク（３）が形成されているスタータ瓦（８）を取り付けたことにより、これまでに用いていたマークが形成された軒先水切板と同様に防水連結部材（２）を正確な位置に配置させることができるとともに、２段目以降の本体瓦（１）の前端部の跳ね上がりを防ぐことができかつ屋根の軒先部分での本体瓦（１）との違和感をなくすことができ、外観上の意匠性も向上させることができるのである。
【００１９】
このとき、さらに防水性を考慮すると、屋根野地板（６）へのスタータ瓦（８）と防水連結部材（２）の固定を行う際には、ビスや釘などの固定具を用いてスタータ瓦（８）、防水連結部材（２）を屋根野地板（６）に固定することになるが、固定箇所は少なくする方が望ましいため、スタータ瓦（８）と防水連結部材（２）を固定具により同時に固定するのが好ましい。さらに、本体瓦（１）およびスタータ瓦（８）に形成されたマーク（３）としては、もちろんそれら本体瓦（１）やスタータ瓦（８）に凸部を設けたりその他様々なマークとすることができるが、とくにそれら瓦をけがくなどにより容易に形成することができる凹部とするのが好ましい。
【００２０】
また、図１に示すように、軒先水切板（９）とスタータ瓦（８）との間、または軒先水切板（９）と屋根野地板（６）との間に位置するように樹脂材などのパッキン材（１０）を配置させることができる（図１では軒先水切板（９）とスタータ瓦（８）との間に配置させている）。とくに粘着剤付のパッキン材（１０）とすることで、施工現場において容易に施工することができ、またパッキン材（１０）により軒先端部（５）におけるスタータ瓦（８）および本体瓦（１）の角度の調整を行うことが可能となる。
【００２１】
もちろん、この発明は以上の例に限定されるものではなく、細部については様々な態様が可能であることは言うまでもない。
【００２２】
【発明の効果】
以上詳しく説明したとおり、この出願の発明によって、施工性、防水性および意匠性を向上させることができ、さらに生産性が高くコストを低く抑えることのできる瓦の葺き構造が提供される。
【図面の簡単な説明】
【図１】この出願の発明の瓦の葺き構造を例示した要部拡大断面図である。
【図２】この出願の発明の瓦の葺き構造に用いるスタータを例示した正面斜視図である。
【図３】従来の瓦の葺き構造の軒先部分を例示した正面斜視図である。
【図４】従来の瓦の葺き構造の欠点を例示した要部拡大断面図である。
【図５】瓦の葺き構造の施工工程を例示した正面斜視図である。
【図６】従来の瓦の葺き構造を例示した要部拡大断面図である。
【符号の説明】
１  本体瓦
２  防水連結部材
３  マーク
４  （横方向の）側端部
５  軒先端部
６  屋根野地板
７  棟側断片
８  スタータ瓦
９  軒先水切板
１０  パッキン材
【図１】
0003701658.tif 000002
【図２】
0003701658.tif 000003
【図３】
0003701658.tif 000004
【図４】
0003701658.tif 000005
【図５】
0003701658.tif 000006
【図６】
0003701658.tif 000007